(57)【要約】【課題】感知器カバーがあっても火災感知器の脱着が可能であって、さらに治具を持ち替えることなく火災感知器の試験も行うことのできる脱着試験治具と火災感知器試験システム及び火災感知器の固定方法を提供する。【解決手段】設置面に対して固定される火災感知器１の脱着及び試験を行う脱着試験治具３であって、火災感知器１を脱着のために保持する保持部２５と、火災感知器１の試験を行う試験部２５ｅ，２５ｆとを有する。また、試験部２５ｅ，２５ｆは、火災感知器１を下方から覆う形状を有する保持部２５に設けられ、保持部２５は長尺状の支持棒２０によって支持される【選択図】図１
2019207548.tif 000002
【特許請求の範囲】
【請求項１】
設置面に対して固定される火災感知器の脱着及び試験を行う脱着試験治具であって、
前記火災感知器を脱着のために保持する保持部と、前記火災感知器の試験を行う試験部とを有することを特徴とする脱着試験治具。
【請求項２】
前記試験部は、前記火災感知器を下方から覆う形状を有する前記保持部に設けられ、該保持部は長尺状の支持棒によって支持されることを特徴とする請求項１に記載の脱着試験治具。
【請求項３】
前記保持部は、前記火災感知器の周囲を覆うように設けられる感知器カバーに対して位置決めするガイド部を有することを特徴とする請求項１または２に記載の脱着試験治具。
【請求項４】
設置面に対して固定される火災感知器と、
前記火災感知器の周囲を覆う感知器カバーと、
前記火災感知器を脱着のために保持する保持部と、前記火災感知器の試験を行う試験部とを有する脱着試験治具と、を有し、
前記感知器カバーは、前記火災感知器の側方を囲む防護部を有し、該防護部に囲まれた内側の空間部は、前記脱着試験治具を挿入可能な下方開放状であることを特徴とする火災感知器試験システム。
【請求項５】
前記感知器カバーは、設置面に固定される基部と、該基部から下方に延びる複数の棒状の防護部とを有していることを特徴とする請求項４に記載の火災感知器試験システム。
【請求項６】
前記火災感知器の脱着及び試験を行う状態における鉛直方向視の最大径は、前記感知器カバーの内周径より小さいことを特徴とする請求項４または５に記載の火災感知器試験システム。
【請求項７】
火災感知器を設置面に対して固定する火災感知器の固定方法であって、
前記火災感知器を脱着のために保持する保持部と、前記火災感知器の試験を行う試験部とを有する脱着試験治具を用意し、
前記火災感知器を脱着試験治具の保持部に保持させた状態で、前記火災感知器を前記設置面に対して固定し、前記試験部により前記火災感知器の試験を任意的に行うことを特徴とする火災感知器の固定方法。
【発明の詳細な説明】
【技術分野】
【０００１】
本発明は、建物の天井面などに設置される火災感知器の脱着試験治具、火災感知器の動作確認を行う火災感知器試験システム、及び火災感知器の固定方法に関する。
【背景技術】
【０００２】
火災感知器は、建物の天井面などの設置面に固定される。火災感知器が正常に動作することを確認するため、設置時やその後のメンテナンス時には動作確認試験が行われる。高所に設置された火災感知器を試験する動作確認試験には、長尺な支持棒の先端部にカップ状の試験ヘッドを有する試験治具が用いられる。
【０００３】
火災感知器の試験を行う際には、試験治具の試験ヘッドを火災感知器の下方から覆うように近接させ、この状態で試験ヘッドが有する試験部によって、火災感知器を動作させる。煙を検出する火災感知器を試験する場合、煙を発生する試験部を有する試験治具が用いられる。また、熱を検出する火災感知器を試験する場合、熱を発生する試験部を有する試験治具が用いられる。このような試験治具としては例えば特許文献１に挙げるようなものがある。
【先行技術文献】
【特許文献】
【０００４】
【特許文献１】特開２０１７−９７８９３号公報
【発明の概要】
【発明が解決しようとする課題】
【０００５】
高所に設けられる火災感知器を設置面に対し着脱するために、長い支持棒を有する脱着治具が用いられる。火災感知器は、設置面に設けられる感知器ベースに対して回転係合により固定されている。脱着治具は、先端部に火災感知器を覆うカップ状の保持部を有し、保持部を火災感知器に係止させ、これを回転させることで、火災感知器を着脱することができる。
【０００６】
火災感知器の設置時には、脱着治具に保持させた火災感知器を設置面に取付け、その後、脱着治具を試験治具に持ち替えて火災感知器に近づけ、動作試験が行われる。また、メンテナンス時に火災感知器の試験を試験治具により行い、火災感知器の異常が発見された場合には、試験治具を脱着治具に持ち替えて火災感知器が取り外される。このように、火災感知器の設置時やメンテナンス時において、脱着治具と試験治具を途中で持ち替える必要があり、手間が掛かっていた。
【０００７】
体育館などの施設においては、火災感知器にボール等の飛翔物が衝突する可能性があるので、火災感知器の周囲を覆って保護する感知器カバーが設けられることがある。感知器カバーは、火災感知器の機能を損なわないようにしつつ、火災感知器の側面及び下面の全体を覆うように形成される。このように火災感知器の周囲に感知器カバーが設けられていると、感知器カバーが火災感知器を覆っているため、火災感知器のメンテナンス時や交換時には、脱着治具で直接火災感知器を取り外すことができず、まず感知器カバーを取り外す必要がある。このため、足場を組んだり、あるいは高所作業車を使用するなどの必要があった。
【０００８】
本発明は前記課題を鑑みてなされたものであり、火災感知器の脱着が可能であって、さらに治具を持ち替えることなく火災感知器の試験も行うことのできる脱着試験治具と火災感知器試験システム及び火災感知器の固定方法を提供することを目的とする。
【課題を解決するための手段】
【０００９】
前記課題を解決するため、請求項１の発明に係る脱着試験治具は、設置面に対して固定される火災感知器の脱着及び試験を行う脱着試験治具であって、
前記火災感知器を脱着のために保持する保持部と、前記火災感知器の試験を行う試験部とを有することを特徴として構成されている。
【００１０】
請求項１に係る発明によれば、治具を持ち替えることなく火災感知器の脱着と試験を行うことができる。
【００１１】
また、請求項２の発明に係る脱着試験治具は、前記試験部は、前記火災感知器を下方から覆う形状を有する前記保持部に設けられ、該保持部は長尺状の支持棒によって支持されることを特徴として構成されている。
【００１２】
請求項２に係る発明によれば、火災感知器の脱着治具と同様の形状であるため、火災感知器の試験を行う場合に、火災感知器を脱着する場合と同様の手順で、火災感知器に対し容易に位置決めし試験を行うことができる。
【００１３】
さらに、請求項３の発明に係る脱着試験治具は、前記保持部は、前記火災感知器の周囲を覆うように設けられる感知器カバーに対して位置決めするガイド部を有することを特徴として構成されている。
【００１４】
請求項３に係る発明によれば、保持部を容易に位置決めすることができる。
【００１５】
さらに、請求項４の発明に係る火災感知器試験システムは、設置面に対して固定される火災感知器と、
前記火災感知器の周囲を覆う感知器カバーと、
前記火災感知器を脱着のために保持する保持部と、前記火災感知器の試験を行う試験部とを有する脱着試験治具と、を有し、
前記感知器カバーは、前記火災感知器の側方を囲む防護部を有し、該防護部に囲まれた内側の空間部は、前記脱着試験治具を挿入可能な下方開放状であることを特徴として構成されている。
【００１６】
請求項４に係る発明によれば、脱着試験治具を感知器カバーの空間部に進入させることができるので、感知器カバーを取り外すことなく火災感知器の脱着及び試験を行うことができ、また、脱着試験治具により火災感知器の脱着及び試験を一度に行うことができる。
【００１７】
さらにまた、請求項５の発明に係る火災感知器試験システムは、前記感知器カバーは、設置面に固定される基部と、該基部から下方に延びる複数の棒状の防護部とを有していることを特徴として構成されている。
【００１８】
請求項５に係る発明によれば、感知器カバーによって火災感知器を保護しつつ、火災検出のための気流の確保を図ることができる。
【００１９】
そして、請求項６の発明に係る火災感知器試験システムは、前記火災感知器の脱着及び試験を行う状態における鉛直方向視の最大径は、前記感知器カバーの内周径より小さいことを特徴として構成されている。
【００２０】
請求項６に係る発明によれば、火災感知器を保護する感知器カバーに干渉することなく脱着試験治具を火災感知器の取付位置に進入させることができる。
【００２１】
また、請求項７の発明に係る火災感知器の固定方法は、火災感知器を設置面に対して固定する火災感知器の固定方法であって、
前記火災感知器を脱着のために保持する保持部と、前記火災感知器の試験を行う試験部とを有する脱着試験治具を用意し、
前記火災感知器を脱着試験治具の保持部に保持させた状態で、前記設置面に対して固定し、前記試験部により前記火災感知器の試験を任意的に行うことを特徴として構成されている。
【００２２】
請求項７に係る発明によれば、火災感知器を脱着試験治具によって取付けることにより、火災感知器の固定後に、脱着試験治具を持ち替えることなくそのまま動作試験を行うことができる。
【発明の効果】
【００２３】
本発明に係る脱着試験治具によれば、火災感知器の脱着と試験の手間を軽減することができる。また、火災感知器の脱着と試験にそれぞれ別の治具を用意する必要がなく、火災感知器の設置時やメンテナンス時に使用する器具の数を少なくすることができる。
【００２４】
本発明に係る火災感知器試験システムによれば、高所に設置された感知器カバーを取り外すことなく、火災感知器の脱着や試験を同じ治具で実施でき、高所作業を不要とすることができると共に、火災感知器の設置やメンテナンスを容易にすることができる
【００２５】
本発明に係る火災感知器の固定方法によれば、火災感知器の固定後に、脱着試験治具を持ち替えることなくそのまま動作試験を行うことができ、設置時の手間を軽減することができる。また、動作試験の結果、基準を満たさない火災感知器については、そのまますぐに取り外すことができる。
【図面の簡単な説明】
【００２６】
【図１】本実施形態の火災感知器試験システムの全体正面図である。
【図２】感知器カバーの斜視図である。
【図３】脱着試験治具を構成する保持部の平面図である。
【発明を実施するための形態】
【００２７】
本発明の実施形態について、図面に沿って詳細に説明する。図１には、本実施形態の火災感知器試験システムの全体正面図を示している。本実施形態の火災感知器試験システムは、設置面である建物の天井面に設けられる火災感知器１と、火災感知器１の周囲に設けられてこれを保護する感知器カバー２と、火災感知器１の脱着及び試験を行う脱着試験治具３とによって構成される。
【００２８】
火災感知器１は、天井面に予め設けられている感知器ベースＡに対して係止固定されている。感知器ベースＡは、下面に火災感知器１を係止させるための金具を有しており、火災感知器１を感知器ベースＡに対して所定角度位置から水平方向に回転させることにより、火災感知器１を感知器ベースＡに対して脱着することができる。本実施形態における火災感知器１は、熱または煙を検出することで火災の発生を検知することができる熱煙複合式感知器である。
【００２９】
感知器カバー２は、建物の天井面に設けられる火災感知器１の周囲を覆って、火災感知器１を保護するためのものである。特に、体育館等に設置される火災感知器１において、ボールなどの飛翔物が火災感知器１に直接衝突することを防止するために感知器カバー２が設けられる。
【００３０】
図２には、感知器カバー２の斜視図を示している。この図に示すように、感知器カバー２は、天井面に固定される円環状の基部１０と、基部１０から下方に延びる複数の防護部１１と、防護部１１の下端部に設けられる円環状のリング部材１２とを有している。感知器カバー２は、鉄やステンレス等の金属材によって形成される。ただし、樹脂材など他の材料で形成されていてもよい。
【００３１】
基部１０は、天井面に固定するためのネジを挿通する固定孔１０ａを有している。基部１０は、内周端部が内側に配置される火災感知器１と干渉しないように形成されている。
【００３２】
防護部１１は、棒状に形成されており、基部１０の周方向に沿って等間隔に８本設けられている。防護部１１の間隔は、設置箇所において想定される飛翔物が通り抜けられないように設定される。
【００３３】
リング部材１２は、全ての防護部１１を周方向に連結している。リング部材１２の内周端により、感知器カバー２の下面における開口部１２ａが形成される。防護部１１の内周端は、リング部材１２の内周端と略同じ位置にあり、防護部１１は開口部１２ａよりも外周側に位置している。
【００３４】
図１に示すように、感知器カバー２において、複数の防護部１１に囲まれた内側の領域は、下方開放状の空間部１３である。空間部１３は、各防護部１１のうち最も内側に位置する内周端を繋ぐ仮想面と、防護部１１の上端面を有する仮想面と、リング部材１２の下端面を有する仮想面とに囲まれた内側の空間領域のことを言う。空間部１３には脱着試験治具３を挿入することができる。このために、空間部１３の入口となるリング部材１２の開口部１２ａの径は、脱着試験治具３の最大径よりも大きくなるように形成されている。
【００３５】
脱着試験治具３は、支持棒２０の先端部に略Ｕ字状の保持部２１が設けられ、保持部２１の先端部２１ａに固定された保持帯２２によってカップ状の保持部２５が保持されている。この脱着試験治具３において、火災感知器１の脱着及び試験を行う状態における鉛直方向視の最大径となるのは、保持部２１の先端部２１ａの部分であり、リング部材１２の開口部１２ａはそれよりも大径となっている。
【００３６】
図３には、脱着試験治具３を構成する保持部２５の平面図を示している。この図に示すように、保持部２５は、中央部に火災感知器１の外側を覆うことのできる収納部２５ａを有している。収納部２５ａには、周方向２箇所から係止部２５ｂが突出している。係止部２５ｂは、保持部２５内に納められた弾性部材２５ｃにより突出方向に付勢される。収納部２５ａで火災感知器１を覆い、係止部２５ｂが火災感知器１に係止された状態で、脱着試験治具３を水平方向に回転させることで、火災感知器１を回転させ、感知器ベースＡから火災感知器１を取り外すことができる。
【００３７】
また、保持部２５は、煙を発生する煙試験部２５ｅと、熱を発生する熱試験部２５ｆを有している。保持部２５が火災感知器１を覆った状態で、煙試験部２５ｅから煙を発生させることにより、火災感知器１に火災発生を検知させ、火災感知器１が煙の検出によって正常に動作するか否かの動作試験を行うことができる。また、保持部２５が火災感知器１を覆った状態で、熱試験部２５ｆに熱を発生させることにより、火災感知器１に火災発生を検知させ、火災感知器１が熱の検出によって正常に動作するか否かの動作試験を行うことができる。
【００３８】
脱着試験治具３は、煙試験部２５ｅや熱試験部２５ｆを操作するための試験操作部２６を有している。試験操作部２６は、煙試験部２５ｅ及び熱試験部２５ｆと接続されており、これらに電源を供給すると共に、試験実施などの操作を行うことができる。
【００３９】
このように、脱着試験治具３は、火災感知器１に対して係止可能な係止部２５ｂと、火災感知器１を試験する煙試験部２５ｅ及び熱試験部２５ｆを保持部２５に有していることにより、火災感知器１の脱着を行う際に、併せて火災感知器１の試験も行うことができる。次に、火災感知器１の設置時に試験を行う方法について説明する。
【００４０】
予め、設置面である天井面には、感知器ベースＡと感知器カバー２が固定されている。この状態から、感知器ベースＡに対して火災感知器１が取付けられる。火災感知器１は、脱着試験治具３の保持部２５に係止した状態で保持される。この状態で脱着試験治具３を垂直にして持ち上げ、火災感知器１を所定角度位置で感知器ベースＡに近接させ、火災感知器１を取付位置に配置する。このとき、脱着試験治具３の鉛直方向視における最大径は、リング部材１２の開口部１２ａ及び複数の防護部１１により形成される空間部１３の内径より小さいので、火災感知器１を保持した脱着試験治具３が空間部１３内に進入することができる。
【００４１】
火災感知器１を感知器ベースＡに対する取付位置に配置したら、脱着試験治具３を水平方向に回転させて、火災感知器１を感知器ベースＡに対して回転係止させる。これにより、火災感知器１は感知器ベースＡに対して固定される。この状態のまま、試験操作部２６を操作して煙試験部２５ｅを動作させ、火災感知器１が煙によって正常に動作するか否かを試験する。また、試験操作部２６を操作して熱試験部２５ｆを動作させ、火災感知器１が熱によって正常に動作するか否かを試験する。ここで火災感知器１が正常に動作したら、脱着試験治具３を火災感知器１から離して設置及び試験を完了する。動作試験で火災感知器１が正常に動作しなかった場合には、脱着試験治具３を回転させて感知器ベースＡから火災感知器１を取り外し、別の火災感知器１を取付けるなどの対策を行う。
【００４２】
このように、火災感知器１を脱着試験治具３によって取付けることにより、火災感知器１の固定後に、脱着試験治具３を持ち替えることなくそのまま動作試験を行うことができ、設置時の手間を軽減することができる。また、脱着試験治具３は、火災感知器１を係止させた状態で、当該火災感知器１の動作試験を行うことができる。このため、動作試験において、火災感知器１と試験部との位置関係、例えば、火災感知器１の熱を検出するセンサーや煙を流入させる開口と、脱着試験治具３の煙試験部２５ｅや熱試験部２５ｆとの位置関係を、毎回ほぼ同じに統一できる。これにより、試験ミスや環境の差に起因する出力の違いなどを低減し、火災感知器１の異常を確実に発見することができる。
【００４３】
脱着試験治具３の使用時には、必ずしも火災感知器１の取付けと試験を両方行わなくてもよい。すなわち、脱着試験治具３により、火災感知器１を感知器ベースＡに対して取付け、そのまま火災感知器１から脱着試験治具３を離してもよい。また、脱着試験治具３を火災感知器１の取り外しにのみ使用してもよい。さらには、脱着試験治具３を既に取付けられた火災感知器１に対する試験にのみ使用してもよい。
【００４４】
また、火災感知器１の取付けに際し、予め、可搬型の箱型試験器で火災感知器１の動作試験を行い、その後に、火災感知器１を脱着試験治具３に取付けて、感知器ベースＡに対して取付けを行うようにしてもよい。
【００４５】
本実施形態の感知器カバー２は、空間部１３が脱着試験治具３を挿入することのできる径を有した下方開放状となるように複数の防護部１１により形成されているので、感知器カバー２を取り外さなくても、火災感知器１を脱着試験治具３により着脱することができる。したがって、火災感知器１のメンテナンスや交換の際に、足場等を組むことなく、脱着試験治具３を用いて火災感知器１を容易に取り外すことができる。
【００４６】
本実施形態の火災感知器試験システムは、火災感知器１の周囲に感知器カバー２が設けられ、感知器カバー２は下方開放状の空間部１３を形成し、火災感知器１を脱着するための脱着試験治具３が、火災感知器１の試験を行う煙試験部２５ｅや熱試験部２５ｆを有しているので、脱着試験治具３を空間部１３に進入させることができ、また、脱着試験治具３により火災感知器１の脱着及び試験を一度に行うことができるので、高所に設置された感知器カバー２を取り外すことなく、火災感知器１の脱着や試験を同じ治具で実施でき、高所作業を不要とすることができると共に、火災感知器１の設置やメンテナンスを容易にすることができる。
【００４７】
以上、本発明の実施形態について説明したが、本発明の適用は上述の実施形態には限られず、その技術的思想の範囲内において様々に適用されうる。例えば、感知器カバー２が有する防護部１１は、図１，２では８本であるが、その他の本数であってもよい。また、防護部１１は基部１０の周方向に等間隔に配置されていなくてもよい。
【００４８】
また、本実施形態の火災感知器１は、熱と煙を検出することができるが、熱のみ、あるいは煙のみを検出するものでもよく、また、火炎を検出するものであってもよい。脱着試験治具３も、煙試験部２５ｅや熱試験部２５ｆに加えて、火炎試験部を有していてもよいし、これらのいずれか１つまたは２つの組み合わせであってもよい。
【００４９】
また、感知器カバーは、感知器ベースと一体化されていてもよい。これにより、感知器カバーと感知器ベースとを設置面に対し一緒に固定できるので、取付けの工数を削減できる。
【００５０】
また、脱着試験治具３の保持部２５には、感知器カバー２に対して位置決めするガイド部を設けてもよい。例えば、保持部２５の上部に、上方に向かって径が小さくなる円錐台形状のガイド部を設けることができる。これにより、保持部２５が感知器カバー２に対して径方向にずれた位置にあっても、ガイド部が感知器カバー２の下面に当接することで、保持部２５の径方向位置が修正され、保持部２５を容易に位置決めすることができる。
【符号の説明】
【００５１】
Ａ    感知器ベース
１    火災感知器
２    感知器カバー
３    脱着試験治具
１０    基部
１０ａ  固定孔
１１    防護部
１２    リング部材
１２ａ  開口部
１３    空間部
１５    補強部材
２０    支持棒
２１    保持部材
２１ａ  先端部
２２    保持帯
２５    保持部
２５ａ  収納部
２５ｂ  係止部
２５ｃ  弾性部材
２５ｅ  煙試験部
２５ｆ  熱試験部
２６    試験操作部
【図１】
2019207548.tif 000003
【図２】
2019207548.tif 000004
【図３】
2019207548.tif 000005